(57)【特許請求の範囲】
【請求項１】
複数種の被溶融物を混合する被溶融物混合コンベヤを備える被溶融物混合装置であって、前記被溶融物混合コンベヤが、
（ａ）各被溶融物がそれぞれ投入される複数の被溶融物投入口、
（ｂ）各被溶融物投入口から投入される被溶融物が載置されるとともにその被溶融物の搬送終端側に落下口を有する上部載置台、
（ｃ）この上部載置台の下方に配される下部載置台、
（ｄ）前記上部載置台上に載置された被溶融物を前記落下口へ向けて押送するとともに、この押送によって前記落下口から前記下部載置台上に落下された被溶融物を前記上部載置台上における押送方向とは反対方向に押送する押送部材を有する押送コンベヤおよび
（ｅ）前記下部載置台の搬送終端側に設けられる被溶融物排出口
を有することを特徴とする被溶融物混合装置。
【請求項２】
前記下部載置台と上部載置台との間に、前記下部載置台上を押送される被溶融物を混合する回転自在な混合羽根が設けられる請求項１に記載の被溶融物混合装置。
【請求項３】
前記被溶融物混合コンベアの上方には、各被溶融物を個別にその被溶融物混合コンベヤ上へ供給する複数の被溶融物コンベヤが配され、かつ各被溶融物コンベヤの搬送基端側の上方には、各被溶融物コンベヤに対し被溶融物を定量ずつ供給する定量供給手段がそれぞれ配される請求項１または２に記載の被溶融物混合装置。
【請求項４】
さらに、前記各被溶融物コンベヤおよび各定量供給手段を予め設定された時間だけ同時に運転させる運転制御手段が設けられる請求項３に記載の被溶融物混合装置。
【発明の詳細な説明】
【０００１】
【発明の属する技術分野】
本発明は、ごみ処理施設で発生する焼却主灰、飛灰並びに不燃物等の被溶融物を灰溶融炉に供給する前段階で均一に混合する被溶融物混合装置に関するものである。
【０００２】
【従来の技術】
一般に、ごみ処理施設において、ごみ焼却炉で発生する焼却主灰および飛灰並びに粗大ごみ処理装置で発生する不燃物等は灰溶融炉に供給されて溶融される。ここで、複数種の被溶融物（焼却主灰、飛灰、不燃物）を灰溶融炉に投入するに際しては、その投入前に予めそれら被溶融物を均一に混合する必要がある。このため、従来は、灰溶融炉の前流側に混合機を配置し、この混合機にて各種の被溶融物を混合した後に灰溶融炉に投入するようにされている。
【０００３】
図３には、この種従来のごみ処理施設における被溶融物のフローが模式的に示されている。図示のように、従来システムにおいては、ごみ焼却炉で発生する焼却主灰を貯留する焼却灰貯留槽５１および飛灰を貯留する飛灰貯留槽５３が設けられるとともに、粗大ごみ処理装置で発生する不燃物を貯留する不燃物貯留槽５２が設けられている。これら各貯留槽５１，５２，５３から供給される被溶融物はそれぞれ焼却灰計量槽５４、不燃物計量槽５５および飛灰計量槽５６にて計量された後、専用の焼却灰コンベヤ５７、不燃物コンベヤ５８および飛灰コンベヤ５９にてそれぞれ搬送される。この後、それぞれの被溶融物は各コンベア５７，５８，５９の搬出端から下方の混合物コンベア６０上に供給される。次いで、被溶融物は、混合物コンベア６０から混合機６１に供給され、この混合機６１にて均一に混合された後、灰溶融炉６２に供給される。
【０００４】
【発明が解決しようとする課題】
しかしながら、前記従来システムにおいては、複数種の被溶融物を混合するための混合機を灰溶融炉の前流側に設置する必要があるために、混合機と灰溶融炉の配置的制約の面からもシステム構成が大掛りになるとともに、専用の混合機を用意する必要があってコストアップが避けられないという問題点がある。また、この従来システムでは、混合機による混合後の被溶融物を一旦供給ホッパ内に貯留させた後に灰溶融炉に供給する必要があるため、この供給ホッパとして大容量のものを用意する必要があって、これによってもシステム構成の大型化が避けられない。
【０００５】
本発明は、このような問題点を解消するためになされたもので、被溶融物混合用の専用の混合機を不要にするとともに、灰溶融炉の前段側に配される供給ホッパの小型化も図ることのできる被溶融物混合装置を提供することを目的とするものである。
【０００６】
【課題を解決するための手段および作用・効果】
前記目的を達成するために、本発明による被溶融物混合装置は、
複数種の被溶融物を混合する被溶融物混合コンベヤを備える被溶融物混合装置であって、前記被溶融物混合コンベヤが、
（ａ）各被溶融物がそれぞれ投入される複数の被溶融物投入口、
（ｂ）各被溶融物投入口から投入される被溶融物が載置されるとともにその被溶融物の搬送終端側に落下口を有する上部載置台、
（ｃ）この上部載置台の下方に配される下部載置台、
（ｄ）前記上部載置台上に載置された被溶融物を前記落下口へ向けて押送するとともに、この押送によって前記落下口から前記下部載置台上に落下された被溶融物を前記上部載置台上における押送方向とは反対方向に押送する押送部材を有する押送コンベヤおよび
（ｅ）前記下部載置台の搬送終端側に設けられる被溶融物排出口
を有することを特徴とするものである。
【０００７】
複数の被溶融物投入口から被溶融物混合コンベヤの上部載置台上に投入された各被溶融物は、多層状態とされて押送コンベヤの押送部材によってその上部載置台上を搬送終端側へ押送され、この搬送終端側に設けられる落下口から下部載置台上へ落下される。この落下時に各被溶融物は混合され、この混合状態の被溶融物は、上部載置台上における押送方向とは反対方向に下部載置台上を押送部材によって押送され、この下部載置台の搬送終端側に設けられる被溶融物排出口から落下されて灰溶融炉へ供給される。本発明によれば、各被溶融物が被溶融物混合コンベヤにて上部載置台上および下部載置台上を往復搬送される間に均一に混合されることになり、従来のように専用の混合機が不要となって、この混合機と灰溶融炉との配置的制約がなくなり、システム構成をコンパクトにできるとともに、コストダウンを図ることができる。また、前記被溶融物混合コンベヤが被溶融物の貯留機能を有しているので、従来システムのように、混合後の被溶融物を貯留させる大容量の供給ホッパを設ける必要がなく、この供給ホッパのコンパクト化が図れ、これによってもシステム構成のコンパクト化が図れることになる。
【０００８】
本発明において、前記下部載置台と上部載置台との間に、前記下部載置台上を押送される被溶融物を混合する回転自在な混合羽根が設けられるのが好ましい。こうすることで、下部載置台上に落下されてその下部載置台上を搬送される被溶融物を混合羽根にてより確実に混合して混合効果を高めることができる。
【０００９】
また、前記被溶融物混合コンベアの上方には、各被溶融物を個別にその被溶融物混合コンベヤ上へ供給する複数の被溶融物コンベヤが配され、かつ各被溶融物コンベヤの搬送基端側の上方には、各被溶融物コンベヤに対し被溶融物を定量ずつ供給する定量供給手段がそれぞれ配されるのが好ましい。このようにすれば、各被溶融物が定量供給手段によって定量ずつ各被溶融物コンベヤ上に供給され、これら各被溶融物コンベヤから被溶融物混合コンベヤ上に供給されることになるので、被溶融物混合コンベヤに対して各被溶融物を常に定量ずつ供給できることになり、被溶融物の均一な混合を実現することができる。
【００１０】
この場合、さらに、前記各被溶融物コンベヤおよび各定量供給手段を予め設定された時間だけ同時に運転させる運転制御手段が設けられるのが好ましい。こうすることで、定量供給手段の作動と被溶融物コンベヤの作動とを連動させることができて、被溶融物混合コンベヤ上において各層の被溶融物を均一な厚さで搬送することができ、より確実な混合を達成することができる。
【００１１】
【発明の実施の形態】
次に、本発明による被溶融物混合装置の具体的な実施の形態について、図面を参照しつつ説明する。
【００１２】
図１には、本発明の一実施例に係る被溶融物混合装置の処理フローが模式的に示されている。
【００１３】
本実施例のシステムにおいては、ごみ焼却炉で発生する焼却主灰を貯留する焼却灰貯留槽１および飛灰を貯留する飛灰貯留槽３が設けられるとともに、粗大ごみ処理装置で発生する不燃物を貯留する不燃物貯留槽２が設けられており、これら各貯留槽１，２，３から供給される被溶融物はそれぞれ焼却灰計量槽４、不燃物計量槽５および飛灰計量槽６にて計量されるようになっている。各計量槽４，５，６にはそれぞれ定量供給装置（定量供給手段）７が付設され、計量後の被溶融物はその定量供給装置７によって定量ずつ後流側に供給される。
【００１４】
各定量供給装置７の下方には専用の焼却灰コンベヤ８、不燃物コンベヤ９および飛灰コンベヤ１０がそれぞれ配され、前記定量供給装置７より供給される被溶融物はそれら各コンベヤ８，９，１０にて各被溶融物毎に個別に後流側に搬送される。各コンベヤ８，９，１０の搬出端の下方には１基の被溶融物混合コンベヤ１１が配され、各コンベヤ８，９，１０にて搬送された各被溶融物は全てその被溶融物混合コンベア１１上に供給される。
【００１５】
前記各定量供給装置７，７，７および前記各コンベア８，９，１０を駆動するモータ８ａ，９ａ，１０ａはコントローラ１２からの指令信号によってその運転が制御される。このコントローラ１２にはタイマが内蔵され、このタイマにて設定される時間間隔だけ前記各定量供給装置７，７，７およびモータ８ａ，９ａ，１０ａが同期して駆動される。
【００１６】
図２にも示されるように、前記被溶融物混合コンベヤ１１は、コンベヤケーシング１３と、このコンベヤケーシング１３に内設されて一定方向に駆動される押送コンベヤ（フライトコンベヤ）１４とを主たる構成要素としている。
【００１７】
前記コンベヤケーシング１３には、押送コンベヤ１４の上方位置に、前記各コンベヤ８，９，１０より供給される被溶融物を投入するための被溶融物投入口１５，１６，１７が設けられ、また前記押送コンベヤ１４の搬出端側（図では右端側）の下方位置に、混合後の被溶融物を排出する被溶融物排出口１８が設けられている。
【００１８】
一方、前記押送コンベヤ１４は、互いに平行に配置された２基のチェーンコンベヤ１９が駆動スプロケット２０にて駆動されるとともに、これらチェーンコンベヤ１９間に多数の押送部材２１が等間隔に吊下されてなる構成とされている。また、前記２基のチェーンコンベヤ１９間であって、これらチェーンコンベヤ１９の上側搬送面と下側搬送面との中間位置には、それら各搬送面と平行に上部トラフ（上部載置台）２２が設置され、かつ下側搬送面の下方にはコンベヤケーシング１３の底面上に下部トラフ（下部載置台）２３が設置されている。
【００１９】
上部トラフ２２は被溶融物投入口１５，１６，１７を通して上方から落下供給される被溶融物を受け入れて載置する役目をし、この上部トラフ２２上に載置された被溶融物は、駆動スプロケット２０が図示されないモータによって図で矢印Ｐ方向に駆動されることで、前記押送部材２１によって搬送終端側（図で左端側）へ向けて押送される。ここで、焼却灰Ａ、不燃物Ｂおよび飛灰Ｃは別の被溶融物投入口１５，１６，１７からそれぞれ供給されるので、上部トラフ２２上においてはそれら焼却灰Ａ、不燃物Ｂおよび飛灰Ｃが図示のように層状に積み重なった状態となり、かつ前後の押送部材２１，２１によって前後に区画された状態となる。
【００２０】
前記上部トラフ２２の搬送終端寄りの位置には落下口２４が穿設されていて、被溶融物Ａ〜Ｃがその落下口２４の位置に達するとその落下口２４から下方の下部トラフ２３上へ落下される。この落下時の衝撃によってそれぞれの被溶融物、言い換えれば焼却灰Ａ、不燃物Ｂおよび飛灰Ｃは混合状態になって下部トラフ２３上に受け入れ・載置される。こうして、下部トラフ２３上に載置された被溶融物は、搬送方向が反転されて前記押送部材２１によって搬送終端側（図で右端側）へ向けて押送され、その搬送終端側に設けられた被溶融物排出口１８から排出される。なお、排出後の被溶融物は後流側に配される灰溶融炉２５に供給される。
【００２１】
前記下部トラフ２３の上方中間位置には回転自在な混合羽根２６が設けられており、これによって下部トラフ２３上を搬送される被溶融物はより均一に混合されるようになっている。
【００２２】
本実施例の被溶融物混合装置においては、コントローラ１２からの指令信号によって各定量供給装置７，７，７および焼却灰コンベヤ８、不燃物コンベヤ９、飛灰コンベヤ１０が同期して駆動されるので、これら各コンベヤ８，９，１０から被溶融物混合コンベヤ１１に供給されてその上部トラフ２２上に積層・搬送される焼却灰Ａ、不燃物Ｂおよび飛灰Ｃをそれぞれ均一な厚さにすることができる。したがって、下部トラフ２３上への落下時並びにその下部トラフ２３上の搬送時にそれぞれの被溶融物を均一に混合することができ、この良好に混合された状態で被溶融物排出口１８から灰溶融炉２５に供給することができる。
【００２３】
このように本実施例によれば、被溶融物混合コンベヤ１１による搬送中に混合が行われるので、従来用いられている専用の混合機を設置する必要がなく、システム構成をコンパクトにすることができる。また、この被溶融物混合コンベヤ１１は被溶融物を貯留する機能も有しているため、後流側の灰溶融炉２５に付設の供給ホッパに被溶融物を一時貯留する必要もなくなり、この供給ホッパの容量も小さくできるという利点がある。
【図面の簡単な説明】
【図１】図１は、本発明の一実施例に係る被溶融物混合装置の処理フローを示す図である。
【図２】図２は、被溶融物混合コンベヤの断面図である。
【図３】図３は、種従来のごみ処理施設における被溶融物のフローを示す図である。
【符号の説明】
１                焼却灰貯留槽
２                不燃物貯留槽
３                飛灰貯留槽
４                焼却灰計量槽
５                不燃物計量槽
６                飛灰計量槽
７                定量供給装置（定量供給手段）
８                焼却灰コンベヤ
９                不燃物コンベヤ
１０              飛灰コンベヤ
１１              被溶融物混合コンベヤ
１２              コントローラ（運転制御手段）
１４              押送コンベヤ
１５，１６，１７  被溶融物排出口
１８              被溶融物排出口
２１              押送部材
２２              上部トラフ（上部載置台）
２３              下部トラフ（下部載置台）
２４              落下口
２５              灰溶融炉
２６              混合羽根
【図１】
0003773762.tif 000002
【図２】
0003773762.tif 000003
【図３】
0003773762.tif 000004